(57)【要約】【課題】  釣り竿に取付けた場合に釣り糸が絡みにくく、かつ、衝撃が掛った場合であってもガイドリングが外れ難く損傷難い釣り竿用ラインガイド及び釣り竿を提供する。【解決手段】    釣糸導通用の導通孔４Ａを形成しているガイドリング４を備えた金属製リング保持部１Ａと高強度繊維製保持部１Ｐと、竿体に取付固定される金属製及び高強度繊維製取付装着部１Ｂ、１Ｑと、金属製リング保持部１Ａ、前記リング保持部と前記取付装着部との間に位置する金属製及び高強度繊維製脚部１Ｃ、１Ｒとが高強度繊維プリプレグにより一体形成した釣り竿用ラインガイド。【選択図】        図５
2010148523.tif 000002
【特許請求の範囲】
【請求項１】
釣糸導通用の導通孔を形成しているガイドリングが、前記ガイドリングを備えた板状リング保持部と、前記板状リング保持部の外側に高強度繊維を含有するプリプレグで前記ガイドリングが一体固定した高強度繊維製リング保持部とで形成され、竿体に載置される取付装着部との間に位置する脚部と、取り付け装着部とで形成され、少なくとも前記高強度繊維製リング保持部と前記脚部が釣り竿に取付ける状体での側面視で、段差なく形成されている釣り竿用ラインガイド。
【請求項２】
前記脚部が板状体で形成され、かつその外側は高強度繊維製のプリプレグによって一体形成され、段差なく繋がる円滑面に形成されている請求項１の釣り竿用ラインガイド。
【請求項３】
前記脚部が、前記リング保持部の左右側端より下方に向けて連続的に延出されている左右側脚部で成っている請求項１記載の釣り竿用ラインガイド。
【請求項４】
竿体に載置される取付装着部が金属で形成され、かつその外側に高強度繊維製のプリプレグが一体固定され、段差なく形成されている請求項１記載の釣り竿用ラインガイド。
【請求項５】
前記脚部は、側面視において、前記ガイドリング前部で前記ガイドリングと前記リング保持部がほぼ同一幅形状で、前記リング保持部側に位置する部分における前記導通孔の軸線に沿った前後幅より、前記取付装着部側に位置する部分における前記導通孔の軸線に沿った前後幅の方が、広くなっている請求項１又は２記載の釣り竿用ラインガイド。
【請求項６】
前記リング保持部は、前記導通孔の軸線に対して直交する垂直面に対して前向きに傾斜する状態に傾けて形成してあり、前記脚部の後向き面は、前記リング保持部側に位置する部分から前記取付装着部側に位置する部分に掛けて、段差なく繋がるように形成してある請求項１〜３のうちのいずれか一つに記載の釣り竿用ラインガイド。
【請求項７】
請求項１〜７のうちのいずれか一つに記載の釣り竿用ラインガイドを備えた釣り竿。

【発明の詳細な説明】
【技術分野】
【０００１】
本発明は、リールから繰り出された釣り糸をガイドする釣り竿用ラインガイド及び釣り竿に関する。
【背景技術】
【０００２】
釣り竿用ラインガイドは、次のような構成を採っていた。
（イ）                       
釣り糸をガイドするセラミック製のガイドリングを金属製フレームで支持していた。
（ロ）                       
金属製フレームには、ガイドリング保持体を保持装着する部分と、その装着する部分から釣竿本体方向下向きに延出する支脚と、支脚の下端に、前記竿体の外周面に載置固定される取付装着部とを形成してあり（特許文献１、特許文献２）、上記ガイドリング保持するに金属製のフレーム部を曲げ加工してかつ接着材で固定したり（特許文献１）、ガイドリング押さえ部を別途接着したりしていた（特許文献２）  。
【先行技術文献】
【特許文献】
【０００３】
【特許文献１】特開平１０−３１７３４５
【特許文献２】特開２０００―１３９２８２
【発明の概要】
【発明が解決しようとする課題】
【０００４】
（イ）従来の釣り竿用ラインガイドについて、金属製のガイドリングを保持装着する部分を曲げ加工したり、接着材で接着したり、樹脂を介在させてセラミック製のガイドリングを装着してはいるが、大きな負荷が長期に亘って作用する場合には、経年変化を来してガイドリングが脱落したり、衝撃的な荷重を受けた場合にはガイドリングがはずれたり、ガイドリングフレームが変形したり、損傷する虞もあった。
（ロ）金属製のフレームを形成するに、金属板にプレスによる打ち抜き加工、及び、深絞り加工を施して形成したり、あるいは、複数の部品をロー付け加工等によって組み付けて構成する手法を採っているので、金属製のフレームの形状に不連続な部分が多々形成されており、その不連続な部分に釣り糸が絡み付き易いという問題があった。また金属を曲げ加工するに十分寸法精度を出すことができず、大層困難を生じるものであった。
（二）更に通常１枚の金属板によってプレス加工するため、金属製支脚の根元部分での剛性を十分高くすることができなく、そのためその部分で負荷がかかって変形してしまうような場合があった。
（ホ）釣竿本体に固定した場合、釣り糸が金属製フレームに絡み付くと釣り糸が傷ついたり、切断されたりする虞もあった。
（ト）釣り竿用ラインガイドとしては、熱可塑性樹脂によるインジェクション成型によって製作することも可能であるが、この場合は強化繊維が成型品に導入されていないので、強度が十分でなく釣り竿用ラインガイドとして採用し難いものとなる虞があった。
【０００５】
本発明の目的は  釣り竿に取付けた場合に釣り糸が絡みにくく、かつ、衝撃が掛った場合であってもガイドリングが外れ難く損傷難い釣り竿用ラインガイド及び釣り竿を提供する点にある。
【課題を解決するための手段】
【０００６】
〔構成〕
請求項１に係る発明の特徴構成は、釣糸導通用の導通孔を形成しているガイドリングが、ガイドリングを備えた板状リング保持部と、前記板状リング保持部の外側に高強度繊維を含有するプリプレグで前記ガイドリングが一体固定した高強度繊維製リング保持部とで形成され、竿体に載置される取付装着部との間に位置する脚部と、取り付け装着部とで形成され、少なくとも前記高強度繊維製リング保持部と前記脚部が釣り竿に取付ける状体での側面視で、段差なく形成されている釣り竿用ラインガイドにあり、その作用効果は次の通りである。
【０００７】
〔作用〕
（イ）セラミック製のガイドリングを板状リング保持部で仮固定され、あるいは板状体に穴加工され穴部にセラミック照射、溶着若しくはコーティング等された、板状リング保持部の外側に高強度繊維を含有するプリプレグで前記ガイドリングを一体形成されるので、従来のように、金属製のフレームに装着する際に接着剤や樹脂を介在させる必要はない。しかも、別途介在する樹脂は存在してなくても、プリプレグで一体形成されたリング保持部は金属のみによるものと比べて変形性が良好で、大きな負荷が長期に亘って作用する場合であっても、ガイドリングが脱落したり、衝撃的な荷重を受けた場合であってもガイドリングが損傷する虞が少ない。
（ハ）ガイドリングを保持、形成するに、高強度繊維製のプリプレグを使用して板状リング保持部とともに加工ができるので、ガイドリングとリング保持部を段差なく繋がるように形成することもできる。
（二）上記のような形状にすることができるため、釣り竿に固定した場合、絡み付くことによる釣り糸が傷ついたり、切断されたりする虞も少なくなった。
【０００８】
〔効果〕
釣り竿に取付けた場合に釣り糸が絡みにくく、かつ、釣り竿に取付けた際に衝撃が掛った場合であってもガイドリングが外れ難く損傷難い釣り竿用ラインガイドを提供できるに至った。
【０００９】
請求項２に係る発明の特徴構成は、請求項１の前記脚部が板状体で形成され、かつその外側は高強度繊維製のプリプレグによって一体形成され、リング保持部と段差なく繋がる円滑面に形成されている点にあり、その作用効果は次の通りである。
【００１０】
〔作用効果〕
釣り竿用ラインガイドの釣り竿へ固定する脚が主に高強度繊維製のプリプレグを材料として形成されているので、ラインガイドに不連続な部分がなく、釣り糸が絡み付き易いという問題も解消することができ、脚部の根元部分の剛性も十分高くすることができて壊れにくく、塑性変形等しにくいものとなる。
【００１１】
請求項３に係る発明の特徴構成は、前記脚部が、前記リング保持部の左右側端より下方に向けて連続的に延出されている左右側脚部で成っている点にあり、その作用効果は次の通りである。
【００１２】
〔作用効果〕
脚部の構成として、左右に側脚部を配置する構成によって、脚部を左右に間隔を開けた状態で配置構成することができる。このことによって、釣り竿用のラインガイドに曲げ荷重やネジリ荷重が掛る場合にも、左右の側脚部が踏張力を発揮して、十分耐えるものとなる。
しかも、この側脚部を左右に配することによって、この側脚部の円滑な側面によって釣り糸が絡み付くのを阻止でき、糸絡みを効果的に抑制する。
【００１３】
請求項４に係る発明の特徴構成は、請求項１の竿体に載置される取付装着部が金属で形成され、かつその外側に高強度繊維製のプリプレグが一体固定され、段差なく形成されている点にあり、その作用効果は次の通りである。
【００１４】
〔作用効果〕
釣り竿自体と同様の材料であり、弾性率等が大きく異なるものでなくすることができるので、釣り竿に負荷が掛り、大きく釣り竿が曲ったような場合に、取付装着部の端面が釣り竿の外周面に食い込み傷つけるといった問題がなくなる。
【００１５】
〔構成〕
請求項５に係る発明の特徴構成は、前記脚部は側面視において、前記ガイドリング前部で前記ガイドリングと前記リング保持部がほぼ同一幅形状で、前記リング保持部側に位置する部分における前記導通孔の軸線に沿った前後幅より、前記取付装着部側に位置する部分における前記導通孔の軸線に沿った前後幅の方が、広くなっている点にあり、その作用効果は次の通りである。
【００１６】
〔作用効果〕
つまり、釣り竿の外周面に取り付けられる取付装着部側に位置する部分の方が、前後幅が広くなっているので、曲げ応力等の大きな荷重を受ける部分の強化を図ることができ、釣り竿用ラインガイドの釣り竿への取付状態を安定したものにできる。
【００１７】
〔構成〕
請求項６に係る発明の特徴構成は、  前記リング保持部は、前記導通孔の軸線に対して直交する垂直面に対して前向きに傾斜する状態に傾けて形成してあり、前記脚部の後向き面は、前記リング保持部側に位置する部分から前記取付装着部側に位置する部分に掛けて、段差なく繋がるように形成してある点にあり、その作用効果は次の通りである。
【００１８】
〔作用効果〕
リング保持部に釣り糸が絡み付きを生じた場合であっても、錘負荷等によってリング保持部の前側（穂先側）に向けて引かれる釣り糸は、前向きに傾斜するリング保持部に引っ掛かることなく、すり抜けることができる。
一方、脚部の後向き面は、前記リング保持部側に位置する部分から前記取付装着部側に位置する部分に掛けて、段差なく繋がるように形成してあるので、不連続な面がなく、釣り糸が引っ掛かることが少ない。
以上のように、釣り竿用ラインガイドは、取付装着部から脚部を介してリング保持部まで、不連続な面を抑制し、かつ、姿勢を前向きに傾斜させる構成によって、釣り糸の巻き付き難いものと成っている。
【００１９】
〔構成〕
請求項７に係る発明の特徴構成は、請求項１〜７のうちのいずれか一つに記載の釣り竿用竿体を備えた釣り竿である点にあり、その作用効果は次の通りである。
【００２０】
〔作用効果〕
釣り竿用ラインガイドは、プリプレグで製作されることによって金属のみのものに比べて軽量化が達成でき、かつ、糸絡みの少ないものとなったので、捌き易い釣り竿とできた。
【図面の簡単な説明】
【００２１】
【図１】並継竿に第１、第２釣り竿用ラインガイドを適用した例を示す側面図である。
【図２】振出竿に第３、第５釣り竿用ラインガイドを適用した例を示す側面図である。
【図３】第１釣り竿用ラインガイドを示す斜視図である。
【図４】第２釣り竿用ラインガイドを示す斜視図である。
【図５】第１ラインガイドの側面視の断面図である。
【図６】第３釣り竿用ラインガイドを示す斜視図である。
【図７】（ａ）第２釣り竿用ラインガイドの別実施構造を示す縦断側面図、（ｂ）第２釣り竿用ラインガイドの別実施構造を示す正面図である。
【図８】（ａ）第２釣り竿用ラインガイドを示す縦断側面図、（ｂ）第２釣り竿用ラインガイドを示す正面図である。
【図８−１】（ａ）別実施構造の第２釣り竿用ラインガイドを示す縦断側面図、（ｂ）第２釣り竿用ラインガイドを示す正面図である。
【図９】（ａ）第３釣り竿用ラインガイドを示す縦断側面図、（ｂ）第３釣り竿用ラインガイドを示す正面図である。
【図１０】（ａ）第１釣り竿用ラインガイドを示す縦断側面図、（ｂ）第１釣り竿用ラインガイドを示す正面図である。
【図１１】第２釣り竿用ラインガイドの別実施形態を示す縦断側面図である。
【図１１−１】第２釣り竿用ラインガイドの他別実施形態を示す縦断側面図である。
【図１２】第３釣り竿用ラインガイドの別実施形態を示す斜視図である。
【図１３】第３釣り竿用ラインガイドの別実施形態を示し、その別実施形態の第５釣り竿用ラインガイドを元竿の竿先端に装着した状態を示す縦断側面図である。
【発明を実施するための形態】
【００２２】
〔第１実施形態〕
並継竿に使用される二つの釣り竿用ラインガイドについて説明する。図１に示すように、釣り竿Ａは、竿軸線に沿って多数の第１釣り竿用ラインガイド１を装備した穂先竿Ａａと、穂先側に第２釣り竿用ラインガイド２を装着し竿尻側に両軸リールＢを装着したリールシート３とを配した元竿Ａｂとを、並継式に着脱可能な釣り竿に構成されている。
【００２３】
尚、釣り竿Ａを構成する各竿体は次のように製作される。つまり、炭素繊維等の強化繊維を一方向に引き揃え、その引き揃え強化繊維群にエポキシ等の熱硬化性樹脂（又は熱可塑性樹脂）を含浸させて、プリプレグシートを形成する。このプリプレグシートを所定の形状に裁断したものをマンドレルに巻回し、複数層に形成したものをマンドレルに巻回した状態で炉に入れて焼成し、焼成後マンドレルを脱芯して円筒状の竿素材を取り出しその竿素材を所定長に裁断して、仕上加工を施し竿体とする。
プリプレグを構成する強化繊維としては、短繊維ではラインガイドとしての強度を確保できないので、長繊維であることが必要であり、具体的には、炭素繊維以外にガラス繊維、アラミド繊維、アルミナ繊維等が使用でき、樹脂としては、フェノール樹脂、ポリエステル樹脂、エポキシ樹脂等の熱硬化性樹脂やＰＶＥ等の熱可塑性樹脂が使用できる。
【００２４】
第１釣り竿用ラインガイド１について説明する。図５及び図１０に示すように、第１釣り竿用ラインガイド１は、釣糸導通用の導通孔４Ａを形成しているガイドリング４を備えた金属製リング保持部１Ａと、高強度繊維に樹脂を含浸して硬化された高強度繊維製リング保持部１Ｐと、竿体としての穂先竿Ａａに載置されて取付固定される金属製取付装着部１Ｂと前記高強度繊維製取付装着部１Ｑと、リング保持部１Ａ、１Ｐと取付装着部１Ｂ、１Ｑとの間に位置する金属製脚部１Ｃと前記高強度繊維製脚部１Ｒとを一体形成してある。
【００２５】
ガイドリング４は、円形のものが使用されるが、楕円形のものであってもよい。
セラミックが主として使用され、炭化ケイ素、アルミナ等が材料として選定され、サーメット等の金属とセラミックの化合物も使用される。耐摩耗性の高い材料であれば使用可能である。セラミック等は、セラミック等の金属等の表面への溶射、照射、コーティング等硬質材でコーティングしたものも含む。
【００２６】
金属製リング保持部は、材料的には主としてチタン、ステンレス、アルミナ等が用いられる。特に炭素繊維にエポキシ樹脂等を含浸したコンポジット（ＣＦＲＰ）と金属は電触を起こし易いため、コンポジット内部に一体成型して、海水、空気にさらされないようにしておく必要がある。
仮止め板として金属を用いたが、板状のものであれば、成型の際耐熱性、強度剛性を持つものであれば、金属でなくてもいい。例えば炭素繊維をエポキシ、フェノール等熱硬化性樹脂で構成されたＣＦＲＰ板を板状体として用いてもよい。
【００２７】
第１釣り竿用ラインガイド１の製造方法は、１  例を示すと次のようなものである。高強度繊維としての炭素繊維を一方向に引き揃えるか又はクロスさせて編み込んだものに、エポキシ等の熱硬化性樹脂を含浸させてシート状又はロッド状のプリプレグ化したものを形成する。セラミックリング等を板状体に固定若しくは仮固定する。次に所定のラインガイド形状に前記プリプレグ裁断し、ガイドリング外周に接するよう貼り付ける。プレス成形法の場合は、プリプレグが貼り付けられたラインガイドの原形若しくはその1部の形が型彫された金型に挿入し、ホットプレス機で、加圧・加熱し、圧縮成形を施すことによって、第１釣り竿用ラインガイド１を一体成型する。
真空バッグ成形法では、ツール面の上に保護フイルムを敷き、プリプレグが貼り付けられたラインガイドの原形をセットする。上面にも保護フイルムを敷き、その上に平滑な所定形状のくぼみ部をもった板をのせる。場合によっては、ガイドリング部分（１Ａ，１Ｐ）をまず成型し、次に略90度角度を回転しって釣り竿への取付け装着部（１Ｂ，１Ｑ）を成型する。
【００２８】
更に具体的にガイドリング部の作り方を説明すると、ガイドリング４Ａを金属製リング保持部に仮固定する。ガイドリング４は金属製保持部に仮固定される。高強度繊維にエポキシ樹脂等を含浸したプリプレを所定形状に裁断し、ガイドリングに接するよう、金属製リング保持部の外周に、ガイドリングに接するようプリプレグを貼り付ける。プリプレグが貼り付けた状態の金属製リング保持部とガイドリングを割り型等に挿入することによって、若しくは保護フィルムで挟んで、真空引きによりガイドリングとラインガイドのリング保持部１Ａ、１Ｐを一体に成型する。
【００２９】
ガイドリング保持部１Ａ、１Ｐは、ガイドリング４を保持すべく略円形の外形を呈しており、外周縁の下半部の横幅を少し絞った状態で下方に板状部分を延出して脚部１Ｃ，１Ｒを形成している。脚部１Ｃ，１Ｒの下端部そのままの幅で後方に向けて水平に延出して取付装着部２Ｂ，２Ｑを形成する。
取付装着部１Ｂ，１Ｑの前端から前方上方に向けて脚部１Ｃ，１Ｒ及びリング保持部１Ａ、１Ｐを段差なく延出してあり、釣り糸が絡み付いてもスリヌケ易い構成となっている。
【００３０】
図５について、リング保持部１Ａ、１Ｐから脚部１Ｃ，１Ｒを介して取付装着部１Ｂ，１Ｑに至る両横側面１ｂは、凹凸の無い湾曲状のもので、不連続部分がないので、釣り糸が引っ掛かり難い構成を採っている。
しかも、脚部１Ｃ，１Ｒの後向き面１ｃは、リング保持部側に位置する部分から取付装着部側に位置する部分に掛けて、段差なく繋がるように形成してある。このことによって、糸絡みを容易に解消できる。
【００３１】
リング保持部１Ａ、１Ｐから脚部１Ｃ，１Ｒにおいて、釣糸導通用の導通孔４Ａの軸線Ｘに沿った前後幅は、リング保持部１Ａ、１Ｐの上端から脚部１Ｃの下端まで徐々に拡がる状態に形成してあり、さらに曲げ強度等を向上させる構造となっている。
図１０では、取付け装着部はＣＦＲＰのみで形成され、金属等の板状体は設けられていない。
ここで１Ａ、１Ｂ、１Ｃは金属等による板状体である。また、１Ｐ，１Ｑ，１Ｒは高強度炭素繊維にエポキシ樹脂等を含浸下プリプレグを、加熱硬化した炭素繊維複合体（ＣＦＲＰ）である。
【００３２】
図７（イ）、図８（イ）、図８−１（イ）、図１０（イ）ではリング保持部前部幅は、強度上ガイドリング幅よりガイドリング前部で広くなっているが、ほぼ同一の寸法形状とすることが望ましい。この部分が段差なく形成されている場合は、糸がらみは更に向上したものとなる。この場合にはガイドリングの外周幅方向中央部の周部に溝を設け炭素繊維等プリプレグによって金属製ガイドリング保持部と一体成型する。溝部分での一体成型によりガイドリングはリング保持部（１Ａ，１Ｐ）に強固に固定される。
取付装着部１Ｑは、前記軸線Ｘに直交する上下方向に沿った上下幅は脚部１Ｃ，１Ｒの下端から後方に至る程略一定幅を維持しながら、後端近くで徐々に薄くなるように形成されている。
また、図８−１でも、取付け装着部はＣＦＲＰのみで形成され、金属等の板状体は設けられていない。
【００３３】
リング保持部１Ａ、１Ｐにおいては、ガイドリング４は、リング保持部１Ａ、１Ｐの前面又は後面の傾斜度とは異なる傾斜角度で装着され、抜け難い構成を採っている。
【００３４】
第１釣り竿用ラインガイド１は、穂先竿Ａａの外周面に取付られる場合には、取付装着部１Ｂ，１Ｑと外周面とに亘って巻回される取付用の糸ａによって取付固定される。取付装着部１Ｑの後端が薄くなっているのは、取付用の糸ａによる巻回作業を良好にするためである。
【００３５】
〔第２実施形態〕
第２釣り竿用ガイドライン２について説明する。図７（イ）（ロ）、図８（イ）（ロ）、図８−１（イ）（ロ）、図１１及び図１１−１に示すように、第１釣り竿用ガイドライン１と大きく異なる点は、取付装着部２Ｑがリング保持部２Ａを中心として前後に延出されている点である。元竿Ａｂに掛る荷重に対応した強度を持たせる為に、釣り竿用ラインガイドとして大型のものに構成し、取付装着部２Ｑを前後に伸ばしている。踏ん張り力を発揮させるためである。一方、図８−１及び図１１−１の取付装着部には、金属等の板状体は設けていない構造である。
【００３６】
したがって、脚部２Ｂ，２Ｑにおける前後幅もリング保持部２Ａ、２Ｐより前後方向に向かって拡がる幅広いもの構成してあり、曲げ強度等に対応する構成となっている。
また、脚部２Ｂ，２Ｑは、リング保持部２Ａ、２Ｐの左右側端より下方に向けて連続的に延出されている左右側脚部２ｅで成っている。
【００３７】
ガイドリング４は円形を成しており、リング保持部２Ａ、２Ｐも同様に円形状を呈し脚部２Ｃ，２Ｒの部分で細く絞られている点は、第１釣り竿用ラインガイド１と同様である。脚部２Ｃ，２Ｒには、ガイドリング４の下端を支持する壁部分２ｆを挟んで前後に空間２ｃが形成してあり、空間２ｃを挟んで左右両側に前記した左右両側脚部２ｅが設けてある。このように空間２ｃを設けてあるのは、第２釣り竿用ラインガイド２の軽量化を目的とするものである。
【００３８】
リング保持部２Ａ，２Ｐから脚部２Ｃ，２Ｒを介して取付装着部２Ｂ，２Ｑに至る両横側面２ｂ及び前後面２ａは、凹凸の無い湾曲状のもので、不連続部分がないので、釣り糸が引っ掛かり難い構成を採っているのは、第１釣り竿用ラインガイド１の形状と同様である。
【００３９】
〔第２実施形態の第１別実施形態〕
図７のリング保持部２Ａ、２Ｐにおいて、ガイドリング４の下端と脚部２Ｃ，２Ｒとの間には、前後に貫通する孔２ｄが形成してある。このように前後に貫通する孔を形成することによって、第２釣り竿用ラインガイド２の軽量化を図る趣旨である。また、貫通する孔２ｄの両横側方に側脚部２ｅが形成されている。釣り竿周面に取付けられる取付装着部２Ｑを前後に伸ばしている。取付装着部には踏ん張り力を発揮させるため金属等の板状体２Ｂをも設けてである。
【００４０】
〔第２実施形態の第２別実施形態〕
図１１に示す第２釣り竿用ラインガイド２の別実施構造について説明する。ガイドリング４の外周面に環状凹入溝４ａを形成してある。リング保持部２Ａ、２Ｐにおけるガイドリング４の軸線Ｘに沿った方向での前後幅をガイドリング４よりは僅かに大きな幅に形成してあり、この前後幅で下方に位置する脚部２Ｂの上端に至るまで略同様の幅を維持している。このような構成によって、ガイドリング４を型枠内に挿入した状態で、第２釣り竿用ラインガイド２を型成型すると、リング保持部２Ａ、２Ｐにおけるガイドリング４に接触する部分がガイドリング４の環状凹入溝４ａ内に入り込みリング保持部２Ａ、２Ｐとガイドリング４との結合力が増大する。
【００４１】
このように、ガイドリング４に環状凹入溝４ａを形成することによって、ガイドリング４とリング保持部２Ａ、２Ｐとの結合性が強力になり、リング保持部２Ａ、２Ｐの軸線Ｘに沿った前後幅がガイドリング４の外径より僅かに越えるだけの短い幅のものであっても、ガイドリング４の保持を安定よく行えるようになった。
【００４２】
一方、リング保持部２Ｐの両横側方には側脚部２ｅが形成されており、この側脚部２ｅは、リング保持部２Ｐの後向き面から後方に延出されているが、その延出量は、リング保持部２Ｐの上端部では殆ど無く、リング保持部２Ｐの下方に位置する脚部２Ｒの後方で大きく突出するように形成されており、リング保持部２Ａ、２Ｐと同様に前倒れ姿勢に傾斜している。
このように、側脚部２ｅが取付装着部２Ｂ、２Ｑ側程、脚部２Ｒと同様に前記軸線Ｘに沿った前後幅を上端部分より広くしているので、取付装着部２Ｑ側程前後幅の大きな脚部２Ｑと相俟って、大きな曲げ力やネジリ力が掛った場合であっても、それらに十分対抗する強度を現出することができる。
【００４３】
また、側脚部２ｅとリング保持部２Ａ、２Ｐとが上端側程前後幅を細くしているので、釣り糸が巻き付いた場合であっても、側脚部２ｅの後面が傾斜面に成っている点と相俟って、釣り糸はリング保持部２Ｐ上端より上方にスリヌケ易くなっている。
【００４４】
上記構成同様の構成は、図１１−１に示す。図１１−１に示すラインガイドは、金属等の板状体をリング状に穴繰りし、その部分の表面高度を高めるべくセラミック等を溶射、照射若しくはコーティング等してガイドリング部の糸通し部分を形成しガイドリングとしたものである。穴部のリング状部に、炭素繊維等に樹脂を含浸したプリプレグとセラミック等を溶射、照射若しくはコーティング等を施し、その部分と上記プリプレグを接触させて、板状体部分とを一体硬化させガイドリング部を形成し、更に金属製脚部（２Ｃ）を上記炭素繊維等の高強度繊維プリプレグ（２Ｒ）で一体化したものである。
【００４５】
〔第３実施形態〕
振出竿に使用される第３釣り竿用ラインガイドについて説明する。図２に示すように、釣り竿Ａは、竿軸線に沿って移動可能な多数の第４釣り竿用ラインガイドを装備した穂先竿Ａａと、先端に第３釣り竿用ラインガイド５を装着し竿尻側にスピニングリールＣを装着したリールシート３とを配した元竿Ａｂとを、二番竿Ａｃを挟んで振出式に着脱可能な釣り竿に構成されている。
【００４６】
第３釣り竿用ラインガイド５について説明する。図９（イ）（ロ）に示すように、第３釣り竿用ラインガイド５は、釣糸導通用の導通孔４Ａを形成しているガイドリング４は、金属製板を穴加工された穴内表面に、セラミック等を溶射、照射若しくはコーティング等してガイドリング部の糸通し部分が形成され、金属製リング保持部５Ａにエポキシ樹脂等が含浸された高強度繊維製のリング保持部５Ｐと、高強度繊維竿体としての元竿Ａｂの竿先端に外嵌されて取付固定される取付装着部５Ｑと、リング保持部５Ａ、５Ｐと取付装着部５Ｑとの間に位置する脚部５Ｃ，５Ｒとを、高強度繊維製のプリプレグで一体形成してある。
【００４７】
第３釣り竿用ラインガイド５の製造方法は次のようなものである。金属製板を穴加工された内表面に、セラミック等を溶射、照射若しくはコーティング等してガイドリング部の糸通し部分を形成する。高強度繊維としての炭素繊維を一方向に引き揃えるか又はクロスさせて編み込んだものに、エポキシ等の熱硬化性樹脂を含浸させてシート状又はロッド状のプリプレグ化する。前記のとおりこのシート状またはロッド状のプリプレグを割り型に上記金属製リング保持部５Ａとともに投入し、圧縮成形を施すことによって、第３釣り竿用ラインガイド５を製造する。
【００４８】
この場合第３釣り竿用ラインガイド５を製造する際に、ガイドリング部にセラミック等照射された金属製リング保持部５Ａとは同時に組み込まれたかたちとなる。ガイドリング４はロッド状の中子に外嵌した状態で割り型内に挿入することによって、一体で脚部及び釣り竿への取付装着部がラインガイドとして、同時に形成されることとなる。もちろん取付装着部５Ｑは、元竿Ａｂを挿通する挿通孔５ｄを形成する為に、挿通孔径に相当する中子を型内に挿入して型成形が行われる。
【００４９】
リング保持部５Ａ、５Ｐは、ガイドリング４を保持すべく略楕円形の外形を呈しており、外周縁の下半部の横幅を少し広げる状態で下方に板状部分を延出して単一の脚部５Ｃ、５Ｒを形成している。脚部５Ｒの下端部から筒状部分を下方に形成し取付装着部５Ｑを構成してある。
取付装着部５Ｑの前端から前方上方に向けて脚部５Ｒ及びリング保持部５Ｐを延出してあり、釣り糸が絡み付いてもスリヌケ易い構成となっている。
【００５０】
リング保持部５Ａ、５Ｐから脚部５Ｃ、５Ｒを介して取付装着部５Ｑに至る両横側面５ｃは、凹凸の無い湾曲状のもので、不連続部分がないので、釣り糸が引っ掛かり難い構成を採っている。
しかも、脚部５Ｒの後向き面５ｃは、リング保持部側に位置する部分から取付装着部側に位置する部分に掛けて、段差なく繋がるように形成してある。このことによって、糸絡みを容易に解消できる。
特にリング保持部前部はガイドリング幅とほぼ同一の幅形状となっており、段差なく形成されており、糸がらみは更に向上したものとなる。金属製のリング保持部（５Ａ）と金属製の脚部（５Ｃ）とは高強度繊維に炭素繊維を含浸したものを一体成型により形成しているのでガイドリングは強固に固定される。
【００５１】
リング保持部５Ａ、５Ｐから脚部５Ｃ、５Ｒにおいて、釣糸導通用の導通孔４Ａの軸線Ｘに沿った前後幅は、リング保持部５Ｂの上端から脚部５Ｒの下端まで徐々に拡がる状態に形成してあり、曲げ強度等を向上させる構成を採っている。
取付装着部５Ｑにおける軸線Ｘに沿った横幅は、略一定幅で下端まで延出されている。
【００５２】
リング保持部５Ａ、５Ｐにおいては、ガイドリング４は、リング保持部５Ａ、５Ｐの前面又は後面の傾斜度とは異なる傾斜角度で装着され、抜け難い構成を採っている。
また、形状としては、縦長い楕円状、または、長方形状に形成してもよい。軸線Ｘに直交する面では、リング保持部５Ａ、５Ｐがやや前方に傾いているので、円形に近くなる。
【００５３】
〔第３実施形態の別実施形態〕
ここでは、第３釣り竿用ラインガイド５の別実施構造について説明する。図１２及び図１３に示すように、ガイドリング４の外周面に環状凹入溝４ａを形成してある。ガイド保持部５Ａ、５Ｐにおけるガイドリング４の軸線Ｘに沿った方向での前後幅をガイドリング４よりは僅かに大きな幅に形成してあり、この前後幅で脚部５Ｃ、５Ｒの上端に至るまで略同様の幅を維持している。このような構成によって、ガイドリング４を型枠内に挿入した状態で、第３釣り竿用ラインガイド５を型成型すると、リング保持部５Ａ、５Ｐにおけるガイドリング４に接触する部分がガイドリング４の環状凹入溝４ａ内に入り込みリング保持部５Ａ、５Ｐとガイドリング４との結合力が増大する。
【００５４】
このように、ガイドリング４に環状凹入溝４ａを形成することによって、ガイドリング４とリング保持部５Ａ、５Ｐとの結合性が強力になり、リング保持部５Ｐの軸線Ｘに沿った前後幅がガイドリング４の外径より僅かに越えるだけの短い幅のものであっても、ガイドリング４の保持を安定よく行えるようになる。
【００５５】
一方、リング保持部５Ａ、５Ｐの両横側方には側脚部５ｅが形成されており、この側脚部５ｅは、リング保持部５Ｐの後向き面から後方に延出されているが、その延出量は、リング保持部５Ｐの上端部では殆ど無く、リング保持部５Ｐの下方に位置する脚部５Ｒの後方で大きく突出するように形成されており、リング保持部５Ａ、５Ｐと同様に前倒れ姿勢に傾斜している。
このように、側脚部５ｅが取付装着部５Ｑ側程、脚部５Ｒと同様に前記軸線Ｘに沿った前後幅を上端部分より広くしているので、取付装着部５Ｑ側ほど前後幅の大きな脚部５Ｒと相俟って、大きな曲げ力やネジリ力が掛った場合であっても、それらに十分対抗する強度を現出することができる。
【００５６】
また、側脚部５ｅとリング保持部５Ｐとが上端側程前後幅を細くしているので、釣り糸が巻き付いた場合であっても、側脚部５ｅの後面が傾斜面に成っている点と相俟って、釣り糸はリング保持部５Ｐの上端より上方にスリヌケ易くなる。
【００５７】
次に、元竿Ａｂと第３釣り竿用ラインガイド５との取付構造について詳述する。元竿Ａｂの竿先端には、第３釣り竿用ラインガイド５の筒状の取付装着部５Ｑを外嵌装着するための取付座が設けてある。
取付座は元竿Ａｂの外周面より一段小径の段差部に形成されている。
この段差部に外嵌された状態で、第３釣り竿用ラインガイド５の竿先側端と元竿Ａｂの竿先側端とが面一状態となるように構成してある。そして、第３釣り竿用ラインガイド５が元竿Ａｂと一体に形成される場合には、つぎのような融合現象が起こる。
【００５８】
つまり、元竿Ａｂを焼成した後に、前記した取付座の部分に第３釣り竿用ラインガイド５を形成する為の型枠を外嵌した状態でプリプレグを圧縮して第３釣り竿用ラインガイド５を形成すると、第３釣り竿用ラインガイド５の筒状取付装着部５Ｑの内周面と元竿Ａｂの取付座における外周面とが融合し、筒状取付装着部５Ｑの内周面と元竿Ａｂの取付座における外周面と間の境界面ｂは点線で示すように  存在しなくなり、筒状取付装着部５Ｑの内周面と元竿Ａｂの取付座における外周面とが強力に結合することとなる。
【００５９】
ただし、釣り竿用ラインガイド５を元竿Ａｂとは別個に形成し、釣り竿用ラインガイド５を元竿Ａｂの取付座に後から取付け、接着剤等で接着固定する方法を
採ってもよい。
【００６０】
〔別実施形態〕
（１）取付装着部１Ｂ、２Ｂ、５Ｂ等を竿体に取り付けるのに、取付用の糸ａで行っているが、取付用の糸ａの代わりに樹脂テープを利用してもよい。更に、取付固定力を強力にするには、強化繊維に合成樹脂を含浸させたプリプレグをテープ状に形成したプリプレグテープを使用してもよい。
（２）リング保持部１Ａ、２Ａ、５Ａが取付装着部１Ｂ、２Ｂ、５Ｂに対して斜め前方に傾斜する姿勢に形成してあるが、取付装着部１Ｂ、２Ｂ、５Ｂに対して垂直な姿勢であってもよい。
【産業上の利用可能性】
【００６１】
本願発明は、振出竿だけでなく、並継竿、インロー継竿にも適用できる。
【符号の説明】
【００６２】
１            第１釣り竿用ラインガイド
１Ａ、１Ｐ    リング保持部
１Ｂ、１Ｑ    取付装着部
１Ｃ、１Ｒ    脚部
１ｂ          側面
２            第２釣り竿用ラインガイド
２Ａ、２Ｐ    リング保持部
２Ｂ、２Ｑ    取付装着部
２Ｃ、２Ｒ    脚部
２ａ          前後面
２ｂ          両側面
４            ガイドリング
４Ａ          導通孔
５            第３釣り竿用ラインガイド
５Ａ、５Ｐ    リング保持部
５Ｂ、５Ｑ    取付装着部
５Ｃ、５Ｒ    脚部
５e          
側脚部
【図１】
2010148523.tif 000003
【図２】
2010148523.tif 000004
【図３】
2010148523.tif 000005
【図４】
2010148523.tif 000006
【図５】
2010148523.tif 000007
【図６】
2010148523.tif 000008
【図７】
2010148523.tif 000009
【図８】
2010148523.tif 000010
【図８−１】
2010148523.tif 000011
【図９】
2010148523.tif 000012
【図１０】
2010148523.tif 000013
【図１１】
2010148523.tif 000014
【図１１−１】
2010148523.tif 000015
【図１２】
2010148523.tif 000016
【図１３】
2010148523.tif 000017